(57)【要約】【課題】  トレイドアにコイルばねを脱落しないように能率良く取り付けること。【解決手段】  筐体１のフロントパネル１ａにディスク取出口４が形成され、該ディスク取出口４を開閉ｃ，ｄするためのトレイドア６の裏面に左右一対のアーム１２，１３が突設され、該各アーム１２，１３の先端部に突設した支軸１２ａ，１３ａがフロントパネル１ａの裏面に突設した左右一対のブラケット１４，１５の軸孔に回転可能に挿通され、一方のアーム１２の先端部が横桁部２２と縦桁部２３とにより略Ｌ字状に形成され、前記縦桁部２３に支軸１２ａが突設され、横桁部２２にロック孔２４が貫設されており、一方のアーム１２の支軸１２ａにコイルばね１６を遊嵌合させてそのコイルばね１６の一端１６ａをロック孔２４に挿通し、該コイルばね１６の他端１６ｂをフロントパネル１ａの係合片１７に係合させる。【選択図】        図１
0003129657.tif 000002
【実用新案登録請求の範囲】
【請求項１】
筐体内にディスク装置本体が配置され、該ディスク装置本体内の前後進可能なディスク
載置用トレイが前記筐体のフロントパネルに形成したディスク取出口に対向され、該ディ
スク取出口を開閉するためのトレイドアの裏面に左右一対のアームが突設され、該各アー
ムの先端部に突設した支軸が前記フロントパネルの裏面に突設した左右一対のブラケット
の軸孔に回転可能に挿通され、前記一方のアームの支軸にコイルばねが遊嵌合され、該コ
イルばねの一端を一方のアームに係合させると共に、そのコイルばねの他端をフロントパ
ネルに係合させることにより、前記トレイドアが閉動方向に付勢されており、トレイオー
プン時に、コイルばねに抗してトレイドアを開動させるようにしたディスク装置において
、前記一方のアームの先端部が、その一方のアームの中央部から折れ曲がってトレイドア
に沿う横桁部と、該横桁部から折れ曲がって前方に延びる縦桁部とにより略Ｌ字状に形成
され、前記縦桁部に支軸が突設され、その縦桁部の外側面に沿って前記横桁部にコイルば
ねの外径よりも若干大口径のロック孔が貫設され、該ロック孔を間に挟んでそのロック孔
の口径とほぼ同一幅の間隔をおいて平行する上下一対のガイド片が縦桁部の外側面から横
桁部の前面にかけて一体突設され、横桁部の前面の両ガイド片間にロック孔に向けて傾斜
するガイド面が形成されており、前記一方のアームの支軸にコイルばねを遊嵌合させてそ
のコイルばねの一端を両ガイド片間に挿入し前記ガイド面に沿って前記ロック孔に挿通す
るようにしたことを特徴とするディスク装置。
【請求項２】
筐体内にディスク装置本体が配置され、該ディスク装置本体内の前後進可能なディスク
載置用トレイが前記筐体のフロントパネルに形成したディスク取出口に対向され、該ディ
スク取出口を開閉するためのトレイドアの裏面に左右一対のアームが突設され、該各アー
ムの先端部に突設した支軸が前記フロントパネルの裏面に突設した左右一対のブラケット
の軸孔に回転可能に挿通され、前記一方のアームの支軸にコイルばねが遊嵌合され、該コ
イルばねの一端を一方のアームに係合させると共に、そのコイルばねの他端をフロントパ
ネルに係合させることにより、前記トレイドアが閉動方向に付勢されており、トレイオー
プン時に、コイルばねに抗してトレイドアを開動させるようにしたディスク装置において
、前記一方のアームの先端部が、その一方のアームの中央部から折れ曲がってトレイドア
に沿う横桁部と、該横桁部から折れ曲がって前方に延びる縦桁部とにより略Ｌ字状に形成
され、前記縦桁部に支軸が突設され、その縦桁部の外側面に沿って前記横桁部にコイルば
ねの外径よりも若干大口径のロック孔が貫設されており、前記一方のアームの支軸にコイ
ルばねを遊嵌合させてそのコイルばねの一端を前記ロック孔に挿通するようにしたことを
特徴とするディスク装置。
【請求項３】
筐体内にディスク装置本体が配置され、該ディスク装置本体内の前後進可能なディスク
載置用トレイが前記筐体のフロントパネルに形成したディスク取出口に対向され、該ディ
スク取出口を開閉するためのトレイドアの裏面に左右一対のアームが突設され、該各アー
ムの先端部に突設した支軸が前記フロントパネルの裏面に突設した左右一対のブラケット
の軸孔に回転可能に挿通され、前記一方のアームの支軸にコイルばねが遊嵌合され、該コ
イルばねの一端を一方のアームに係合させると共に、そのコイルばねの他端をフロントパ
ネルに係合させることにより、前記トレイドアが閉動方向に付勢されており、トレイオー
プン時に、コイルばねに抗してトレイドアを開動させるようにしたディスク装置において
、前記コイルばねの一端を略く字状に折り曲げてフック部が形成され、前記一方のアーム
の先端部が、その一方のアームの中央部から折れ曲がってトレイドアに沿う横桁部と、該
横桁部から折れ曲がって前方に延びる縦桁部とにより略Ｌ字状に形成され、前記縦桁部に
支軸が突設され、その縦桁部の外側面から横桁部を横断して中央部の外側面まで延びるス
リットが形成されており、前記一方のアームの支軸にコイルばねを遊嵌合させてフック部
をスリットに挿通し、該フック部の基端をスリットの奥端面角部に係合させると共に、そ
のフック部の先端を中央部の内側面に係合させるようにしたことを特徴とするディスク装
置。
【請求項４】
筐体内にディスク装置本体が配置され、該ディスク装置本体内の前後進可能なディスク
載置用トレイが前記筐体のフロントパネルに形成したディスク取出口に対向され、該ディ
スク取出口を開閉するためのトレイドアの裏面に左右一対のアームが突設され、該各アー
ムの先端部に突設した支軸が前記フロントパネルの裏面に突設した左右一対のブラケット
の軸孔に回転可能に挿通され、前記一方のアームの支軸にコイルばねが遊嵌合され、該コ
イルばねの一端を一方のアームに係合させると共に、そのコイルばねの他端をフロントパ
ネルに係合させることにより、前記トレイドアが閉動方向に付勢されており、トレイオー
プン時に、コイルばねに抗してトレイドアを開動させるようにしたディスク装置において
、前記コイルばねの一端を略ワ字状に折り曲げてクリップ部が形成され、前記一方のアー
ムの先端部が、その一方のアームの中央部から折れ曲がってトレイドアに沿う横桁部と、
該横桁部から折れ曲がって前方に延びる縦桁部とにより略Ｌ字状に形成され、前記縦桁部
に支軸が突設され、その縦桁部の外側面から横桁部を横断して中央部の外側面まで延びる
スリットが形成されており、前記一方のアームの支軸にコイルばねを遊嵌合させてクリッ
プ部をスリットに挿通し、該クリップ部により縦桁部を挟み付けるようにしたことを特徴
とするディスク装置。
【請求項５】
前記縦桁部の外側面から横桁部の前面にかけて上下一対のガイド片が所定間隔をおいて
一体突設されており、前記一方のアームの支軸にコイルばねを遊嵌合させ、該コイルばね
の一端を両ガイド片間に挿入するようにしたことを特徴とする請求項２〜４のいずれかに
記載のディスク装置。
【考案の詳細な説明】
【技術分野】
【０００１】
本考案は、例えば磁気テープ装置一体型ＤＶＤレコーダなどのディスク装置に関し、特
に、トレイドアにコイルばねを脱落しないように能率良く取り付けることができるように
したものである。
【背景技術】
【０００２】
従来、ディスク装置の一例として図７〜図１２に示すものがあり、これは磁気テープ装
置一体型ＤＶＤレコーダであって、図７は正面図、図８は同要部の縦断面図、図９は同要
部の分解斜視図、図１０は同コイルばねの係止状態を示す斜視図、図１１は同トレイドア
の取り外し状態を示す一部切欠き正面図、図１２は同コイルばねの係止状態の改良例を示
す斜視図である。
【０００３】
図７及び図８に示すように、筐体１内にディスク装置本体２と磁気テープ装置３とが並
設され、該筐体１のフロントパネル１ａにディスク取出口４とテープカセット取出口５と
が形成され、ディスク装置本体２のローダーシャーシ８が筐体１のボトムシャーシ１ｂ上
に左右両基台９を介して固定され、ローダーシャーシ８に前後進ａ，ｂ可能に支持された
ディスクＤ載置用トレイ１０がディスク取出口４に対向され、各取出口４，５にトレイド
ア６とカセットドア７とがそれぞれ開閉ｃ，ｄ可能に配置されている。
【０００４】
図８〜図１０に示すように、トレイドア６の裏面に左右一対のアーム１２，１３が突設
され、該各アーム１２，１３の先端部に突設した支軸１２ａ，１３ａがフロントパネル１
ａの裏面に突設した左右一対のブラケット１４，１５の軸孔１４ａ，１５ａに回転可能に
挿通され、前記一方のアーム１２の支軸１２ａにコイルばね１６が遊嵌合され、該コイル
ばね１６の一端１６ａを一方のアーム１２の係合片１２ｂに係合させると共に、そのコイ
ルばね１６の他端１６ｂをフロントパネル１ａの裏面に突設した係合片１７の凹溝１７ａ
に係合させることにより、トレイドア６が閉動ｄ方向に付勢されている。なお、図７中、
１８は他方のブラケット１５に接近してフロントパネル１ａの裏面に突設された支軸抜止
片である。
【０００５】
プレイモードでは、トレイ１０上のディスクＤをターンテーブル（図示せず）により持
ち上げ、該ターンテーブルによりディスクＤを高速回転させ、そのディスクＤに記録され
ている情報を光ピックアップ（図示せず）で読み取り、映像を再生したり録画する。
【０００６】
トレイオープン時には、トレイ１０を前進ａさせ、そのトレイ１０によりトレイドア６
をコイルばね１６に抗して開動ｃさせる（図８仮想線参照）。なお、関連する技術として
特許文献１に記載したものがある。
【特許文献１】実用新案登録第３１０６７５６号公報
【考案の開示】
【考案が解決しようとする課題】
【０００７】
上記従来の構成では、例えば子供が悪戯でトレイドア６を無理に開動ｃさせ（図８仮想
線参照）、その際の衝撃でトレイドア６を損傷させた場合に、一方のアーム１２の支軸１
２ａがブラケット１４の軸孔１４ａから抜けることにより（図１１仮想線参照）、その支
軸１２ａに遊嵌合したコイルばね１６が脱落し、その脱落したコイルばね１６がボトムシ
ャーシ１ｂ上のプリント基板に接触してショート事故を生じさせるおそれがあり、危険で
ある。
【０００８】
そこで、図１２に示すように、コイルばね１６の他端１６ｂを略Ｌ字状に折り曲げて抜
け止め部２０を形成し、その抜け止め部２０を凹溝１７ａに係合させた後、半田コテなど
の加熱手段で係合片１７の先端を溶解させ、それが凝固することによる溶着部分１７ｂで
凹溝１７ａを塞ぎ、これによって、支軸１２ａがブラケット１４の軸孔１４ａから抜けた
としても（図１１仮想線参照）、コイルばね１６が係合片１７に引っ掛かって脱落しない
ようにすることが考えられている。
【０００９】
上記構成によれば、コイルばね１６の他端１６ｂを略Ｌ字状に折り曲げて抜け止め部２
０を形成するのに手間がかかると共に、加熱手段で係合片１７の先端を溶解させ、溶着部
分１７ｂで凹溝１７ａを塞ぐのにも手間がかかって面倒であり、作業能率が低い。
【００１０】
本考案は、上記従来の欠点に鑑み、トレイドアにコイルばねを脱落しないように能率良
く取り付けることができるようにしたディスク装置を提供することを目的としている。
【課題を解決するための手段】
【００１１】
上記目的を達成するため、請求項１記載の考案は、筐体内にディスク装置本体が配置さ
れ、該ディスク装置本体内の前後進可能なディスク載置用トレイが前記筐体のフロントパ
ネルに形成したディスク取出口に対向され、該ディスク取出口を開閉するためのトレイド
アの裏面に左右一対のアームが突設され、該各アームの先端部に突設した支軸が前記フロ
ントパネルの裏面に突設した左右一対のブラケットの軸孔に回転可能に挿通され、前記一
方のアームの支軸にコイルばねが遊嵌合され、該コイルばねの一端を一方のアームに係合
させると共に、そのコイルばねの他端をフロントパネルに係合させることにより、前記ト
レイドアが閉動方向に付勢されており、トレイオープン時に、コイルばねに抗してトレイ
ドアを開動させるようにしたディスク装置において、前記一方のアームの先端部が、その
一方のアームの中央部から折れ曲がってトレイドアに沿う横桁部と、該横桁部から折れ曲
がって前方に延びる縦桁部とにより略Ｌ字状に形成され、前記縦桁部に支軸が突設され、
その縦桁部の外側面に沿って前記横桁部にコイルばねの外径よりも若干大口径のロック孔
が貫設され、該ロック孔を間に挟んでそのロック孔の口径とほぼ同一幅の間隔をおいて平
行する上下一対のガイド片が縦桁部の外側面から横桁部の前面にかけて一体突設され、横
桁部の前面の両ガイド片間にロック孔に向けて傾斜するガイド面が形成されており、前記
一方のアームの支軸にコイルばねを遊嵌合させてそのコイルばねの一端を両ガイド片間に
挿入し前記ガイド面に沿って前記ロック孔に挿通するようにしたことを特徴としている。
【００１２】
請求項２に記載の考案は、筐体内にディスク装置本体が配置され、該ディスク装置本体
内の前後進可能なディスク載置用トレイが前記筐体のフロントパネルに形成したディスク
取出口に対向され、該ディスク取出口を開閉するためのトレイドアの裏面に左右一対のア
ームが突設され、該各アームの先端部に突設した支軸が前記フロントパネルの裏面に突設
した左右一対のブラケットの軸孔に回転可能に挿通され、前記一方のアームの支軸にコイ
ルばねが遊嵌合され、該コイルばねの一端を一方のアームに係合させると共に、そのコイ
ルばねの他端をフロントパネルに係合させることにより、前記トレイドアが閉動方向に付
勢されており、トレイオープン時に、コイルばねに抗してトレイドアを開動させるように
したディスク装置において、前記一方のアームの先端部が、その一方のアームの中央部か
ら折れ曲がってトレイドアに沿う横桁部と、該横桁部から折れ曲がって前方に延びる縦桁
部とにより略Ｌ字状に形成され、前記縦桁部に支軸が突設され、その縦桁部の外側面に沿
って前記横桁部にコイルばねの外径よりも若干大口径のロック孔が貫設されており、前記
一方のアームの支軸にコイルばねを遊嵌合させてそのコイルばねの一端を前記ロック孔に
挿通するようにしたことを特徴としている。
【００１３】
請求項３に記載の考案は、筐体内にディスク装置本体が配置され、該ディスク装置本体
内の前後進可能なディスク載置用トレイが前記筐体のフロントパネルに形成したディスク
取出口に対向され、該ディスク取出口を開閉するためのトレイドアの裏面に左右一対のア
ームが突設され、該各アームの先端部に突設した支軸が前記フロントパネルの裏面に突設
した左右一対のブラケットの軸孔に回転可能に挿通され、前記一方のアームの支軸にコイ
ルばねが遊嵌合され、該コイルばねの一端を一方のアームに係合させると共に、そのコイ
ルばねの他端をフロントパネルに係合させることにより、前記トレイドアが閉動方向に付
勢されており、トレイオープン時に、コイルばねに抗してトレイドアを開動させるように
したディスク装置において、前記コイルばねの一端を略く字状に折り曲げてフック部が形
成され、前記一方のアームの先端部が、その一方のアームの中央部から折れ曲がってトレ
イドアに沿う横桁部と、該横桁部から折れ曲がって前方に延びる縦桁部とにより略Ｌ字状
に形成され、前記縦桁部に支軸が突設され、その縦桁部の外側面から横桁部を横断して中
央部の外側面まで延びるスリットが形成されており、前記一方のアームの支軸にコイルば
ねを遊嵌合させてフック部をスリットに挿通し、該フック部の基端をスリットの奥端面角
部に係合させると共に、そのフック部の先端を中央部の内側面に係合させるようにしたこ
とを特徴としている。
【００１４】
請求項４に記載の考案は、筐体内にディスク装置本体が配置され、該ディスク装置本体
内の前後進可能なディスク載置用トレイが前記筐体のフロントパネルに形成したディスク
取出口に対向され、該ディスク取出口を開閉するためのトレイドアの裏面に左右一対のア
ームが突設され、該各アームの先端部に突設した支軸が前記フロントパネルの裏面に突設
した左右一対のブラケットの軸孔に回転可能に挿通され、前記一方のアームの支軸にコイ
ルばねが遊嵌合され、該コイルばねの一端を一方のアームに係合させると共に、そのコイ
ルばねの他端をフロントパネルに係合させることにより、前記トレイドアが閉動方向に付
勢されており、トレイオープン時に、コイルばねに抗してトレイドアを開動させるように
したディスク装置において、前記コイルばねの一端を略ワ字状に折り曲げてクリップ部が
形成され、前記一方のアームの先端部が、その一方のアームの中央部から折れ曲がってト
レイドアに沿う横桁部と、該横桁部から折れ曲がって前方に延びる縦桁部とにより略Ｌ字
状に形成され、前記縦桁部に支軸が突設され、その縦桁部の外側面から横桁部を横断して
中央部の外側面まで延びるスリットが形成されており、前記一方のアームの支軸にコイル
ばねを遊嵌合させてクリップ部をスリットに挿通し、該クリップ部により縦桁部を挟み付
けるようにしたことを特徴としている。
【００１５】
請求項５に記載の考案は、請求項２〜４のいずれかに記載の考案において、前記縦桁部
の外側面から横桁部の前面にかけて上下一対のガイド片が所定間隔をおいて一体突設され
ており、前記一方のアームの支軸にコイルばねを遊嵌合させ、該コイルばねの一端を両ガ
イド片間に挿入するようにしたことを特徴としている。
【考案の効果】
【００１６】
請求項１に記載の考案は第１の実施の形態（図１〜図４参照）にほぼ沿うするものであ
って、これによれば、トレイドアに突設した一方のアームの略Ｌ字状先端部の横桁部にロ
ック孔が貫設されており、その一方のアームの支軸にコイルばねを遊嵌合させて該コイル
ばねの一端を両ガイド片間に挿入するだけで、そのコイルばねの一端をガイド面に沿って
ロック孔に自動的に挿通することができ、これによって、コイルばねをトレイドアに脱落
しないように能率良く取り付けることができ、例えば子供が悪戯でトレイドアを無理に開
動させ、その際の衝撃でトレイドアを折損させることにより、そのトレイドアの支軸がブ
ラケットの軸孔から抜けたとしても、コイルばねが支軸から外れないので、従来のように
コイルばねが脱落してプリント基板に接触することによりショート事故を生じさせること
がなく、安全性の高いディスク装置を提供することができる。
【００１７】
請求項２に記載の考案は第１の実施の形態（図１〜図４参照）に対応するものであって
、これによれば、トレイドアに突設した一方のアームの略Ｌ字状先端部の横桁部にロック
孔が貫設されており、その一方のアームの支軸にコイルばねを遊嵌合させて該コイルばね
の一端を前記ロック孔に挿通するだけで、そのコイルばねをトレイドアに脱落しないよう
に能率良く取り付けることができ、例えば子供が悪戯でトレイドアを無理に開動させ、そ
の際の衝撃でトレイドアを折損させることにより、そのトレイドアの支軸がブラケットの
軸孔から抜けたとしても、コイルばねが支軸から外れないので、従来のようにコイルばね
が脱落してプリント基板に接触することによりショート事故を生じさせることがなく、安
全性の高いディスク装置を提供することができる。
【００１８】
請求項３に記載の考案は第２の実施の形態（図５参照）に対応するものであって、これ
によれば、トレイドアに突設した一方のアームの略Ｌ字状先端部の縦桁部の外側面から横
桁部を横断して中央部の外側面まで延びるスリットが形成されており、その一方のアーム
の支軸にコイルばねを遊嵌合させて該コイルばねの一端の略く字状フック部をスリットに
挿入し、該フック部の基端をスリットの奥端面角部に係合させると共に、そのフック部の
先端を中央部の内側面に係合させるだけで、そのコイルばねをトレイドアに脱落しないよ
うに能率良く取り付けることができ、請求項２に記載の考案と同様の効果を得ることがで
きる。
【００１９】
請求項４に記載の考案は第３の実施の形態（図６参照）に対応するものであって、これ
によれば、トレイドアに突設した一方のアームの略Ｌ字状先端部の縦桁部の外側面から横
桁部を横断して中央部の外側面まで延びるスリットが形成されており、その一方のアーム
の支軸にコイルばねを遊嵌合させて該コイルばねの一端の略ワ字状クリップ部をスリット
に挿入し、該クリップ部により縦桁部を挟み付けるだけで、そのコイルばねをトレイドア
に脱落しないように能率良く取り付けることができ、請求項２に記載の考案と同様の効果
を得ることができる。
【００２０】
請求項５に記載の考案によれば、コイルばねを支軸に遊嵌合させ該コイルばねの一端を
両ガイド片間に挿入するだけで、そのコイルばねをトレイドアに対して所望通りに位置決
めすることができる。
【考案を実施するための最良の形態】
【００２１】
図１〜図４は本考案の第１の実施の形態であるディスク装置を示すものであり、これは
磁気テープ装置一体型ＤＶＤレコーダであって、図１は同要部の縦断面図、図２は同要部
の分解斜視図、図３（ａ）は同コイルばねの遊嵌合状態を示す分解斜視図、図３（ｂ）は
同状態の水平断面図、図３（ｃ）はＡ−Ａ矢視図、図３（ｄ）はＢ−Ｂ矢視図、図４は同
トレイドアの取り外し状態を示す一部切欠き正面図である。
【００２２】
図３に示すように、トレイドア６に突設した一方のアーム１２の先端部１２Ａが、その
一方のアーム１２の中央部１２Ｂから折れ曲がってトレイドア６に沿う横桁部２２と、該
横桁部２２から折れ曲がって前方に延びる縦桁部２３とにより略Ｌ字状に形成され、前記
縦桁部２３に支軸１２ａが突設され、その縦桁部２３の外側面２３ａに沿って前記横桁部
２２にコイルばね１６の外径よりも若干大口径ｔのロック孔２４が貫設され、該ロック孔
２４を間に挟んでそのロック孔２４の口径ｔとほぼ同一幅の間隔をおいて平行する上下一
対のガイド片２５，２６が縦桁部２３の外側面２３ａから横桁部２２の前面２２ａにかけ
て一体突設され、横桁部２２の前面２２ａの両ガイド片２５，２６間にロック孔２４に向
けて傾斜するガイド面２７が形成されている。上記以外の構成は図７〜図１０に示す構成
とほぼ同じであるから、同一部分に同一符号を付してその説明を省略する。
【００２３】
コイルばね１６の取付手順を説明すると、一方のアーム１２の支軸１２ａにコイルばね
１６を遊嵌合させてそのコイルばね１６の一端１６ａを両ガイド片２５，２６間に挿入し
ガイド面２７に沿ってロック孔２４に挿通する。その後、各支軸１２ａ，１３ａを各ブラ
ケット１４，１５の軸孔１４ａ，１５ａに挿通し、コイルばね１６の他端１６ｂを係合片
１７の凹溝１７ａに嵌入させる。
【００２４】
上記構成によれば、一方のアーム１２の支軸１２ａにコイルばね１６を遊嵌合させて該
コイルばね１６の一端１６ａを両ガイド片２５，２６間に挿入するだけで、そのコイルば
ね１６の一端１６ａをガイド面２７に沿ってロック孔２４に自動的に挿通することができ
、これによって、コイルばね１６をトレイドア６に脱落しないように能率良く取り付ける
ことができ、例えば子供が悪戯でトレイドア６を無理に開動ｃさせ、その際の衝撃でトレ
イドア６を折損させることにより、図４に仮想線で示すように、トレイドア６の支軸１２
ａがブラケット１４の軸孔１４ａから抜けたとしても、コイルばね１６が支軸１２ａから
外れないので、従来のようにコイルばね１６が脱落してプリント基板に接触することによ
りショート事故を生じさせることがなく、安全性の高いディスク装置を提供することがで
きる。
【００２５】
図５（ａ）は本考案の第２の実施の形態であるディスク装置におけるコイルばねの遊嵌
合状態を示す分解斜視図、図５（ｂ）は同状態の水平断面図、図５（ｃ）はＣ−Ｃ矢視図
、図５（ｄ）はＤ−Ｄ矢視図である。
【００２６】
上記構成において、コイルばね１６の一端１６ａを略く字状に折り曲げてフック部３０
が形成され、縦桁部２３の外側面２３ａから横桁部２２を横断して中央部１２Ｂの外側面
１２ｃまで延びるスリット２９が形成され、該スリット２９を間に挟んでそのスリット２
９の幅ｔとほぼ同一幅の間隔をおいて平行する上下一対のガイド片２５，２６が縦桁部２
３の外側面２３ａから横桁部２２の前面２２ａにかけて一体突設されている。上記以外の
構成は第１の実施の形態（図１〜図４参照）とほぼ同じであるから、同一部分に同一符号
を付してその説明を省略する。
【００２７】
コイルばね１６の取付手順を説明すると、一方のアーム１２の支軸１２ａにコイルばね
１６を遊嵌合させてフック部３０をスリット２９に挿通し、該フック部３０の基端をスリ
ット２９の奥端面角部２９ａに係合させると共に、そのフック部３０の先端を中央部１２
Ｂの内側面１２ｄに係合させる。
【００２８】
上記構成によれば、コイルばね１６をトレイドア６に脱落しないように能率良く取り付
けることができ、第１の実施の形態と同様の効果を得ることができる。
【００２９】
図６（ａ）は本考案の第３の実施の形態であるディスク装置におけるコイルばねの遊嵌
合状態を示す分解斜視図、図６（ｂ）は同状態の水平断面図、図６（ｃ）はＥ−Ｅ矢視図
、図６（ｄ）はＦ−Ｆ矢視図である。
【００３０】
上記構成において、コイルばね１６の一端１６ａを略ワ字状に折り曲げてクリップ部３
２が形成されている。上記以外の構成は第２の実施の形態（図５参照）とほぼ同じである
から、同一部分に同一符号を付してその説明を省略する。
【００３１】
コイルばね１６の取付手順を説明すると、一方のアーム１２の支軸１２ａにコイルばね
１６を遊嵌合させてクリップ部３２をスリット２９に挿通し、該クリップ部３２により縦
桁部２３を挟み付ける。
【００３２】
上記構成によれば、コイルばね１６をトレイドア６に脱落しないように能率良く取り付
けることができ、第１及び第２の実施の形態と同様の効果を得ることができる。
【産業上の利用可能性】
【００３３】
上記各実施の形態では、磁気テープ装置一体型ＤＶＤレコーダを例にあげて説明したが
、これに限定されるわけではなく、単体のディスク装置（ＤＶＤレコーダやＤＶＤプレー
ヤ）にも適用される。
【図面の簡単な説明】
【００３４】
【図１】本考案の第１の実施の形態であるディスク装置における要部の縦断面図である。
【図２】同要部の分解斜視図である。
【図３】（ａ）は同コイルばねの遊嵌合状態を示す分解斜視図、（ｂ）は同状態の水平断面図、（ｃ）はＡ−Ａ矢視図、（ｄ）はＢ−Ｂ矢視図である。
【図４】同トレイドアの取り外し状態を示す一部切欠き正面図である。
【図５】（ａ）は本考案の第２の実施の形態であるディスク装置におけるコイルばねの遊嵌合状態を示す分解斜視図、（ｂ）は同状態の水平断面図、（ｃ）はＣ−Ｃ矢視図、（ｄ）はＤ−Ｄ矢視図である。
【図６】（ａ）は本考案の第３の実施の形態であるディスク装置におけるコイルばねの遊嵌合状態を示す分解斜視図、（ｂ）は同状態の水平断面図、（ｃ）はＥ−Ｅ矢視図、（ｄ）はＦ−Ｆ矢視図である。
【図７】従来例を示す正面図である。
【図８】同要部の縦断面図である。
【図９】同要部の分解斜視図である。
【図１０】同コイルばねの係止状態を示す斜視図である。
【図１１】同トレイドアの取り外し状態を示す一部切欠き正面図である。
【図１２】同コイルばねの係止状態の改良例を示す斜視図である。
【符号の説明】
【００３５】
１              筐体
１ａ            フロントパネル
２              ディスク装置本体
４              ディスク取出口
６              トレイドア
１０            トレイ
１２，１３      アーム
１２ａ，１３ａ  支軸
１４，１５      ブラケット
１６            コイルばね
２２            横桁部
２２ａ          横桁部の前面
２３            縦桁部
２３ａ          縦桁部の外側面
２４            ロック孔
２５，２６      ガイド片
２７            ガイド面
２９            スリット
３０            フック部
３２            クリップ部
ａ，ｂ          前後進
ｔ              ロック孔の口径
Ｄ              ディスク
【図１】
0003129657.tif 000003
【図２】
0003129657.tif 000004
【図３】
0003129657.tif 000005
【図４】
0003129657.tif 000006
【図５】
0003129657.tif 000007
【図６】
0003129657.tif 000008
【図７】
0003129657.tif 000009
【図８】
0003129657.tif 000010
【図９】
0003129657.tif 000011
【図１０】
0003129657.tif 000012
【図１１】
0003129657.tif 000013
【図１２】
0003129657.tif 000014